(57)【要約】      （修正有）【課題】紙幣のジャム等を引き起こさず、紙幣取扱い装置が利用不能となることを避けることで、ユーザの利便性を向上させることができる、紙幣集積装置を提供する。【解決手段】紙幣取扱い装置の紙幣集積部（紙幣集積装置）５４において、ローラ７２及びローラ７４は、紙幣集積空間内へ側方上側から紙幣を順次投入する。そして、支持部材９６は、ローラ７２及びローラ７４から紙幣の投入方向へ遠ざかるに従って、その投入方向の延長線に対する高さが高くなる状態で配設される。【選択図】図５
2015184926.tif 000002
【特許請求の範囲】
【請求項１】
紙幣を集積するための空間内へ紙幣を順次投入する投入部と、
紙幣の投入時には、前記投入部から前記紙幣の投入方向へ遠ざかるに従って前記投入方向の延長線に対する高さが高くなる状態で配設される支持部材を有し、且つ、前記空間の下側に位置して前記投入された紙幣を前記支持部材で支えて保持する保持部と、
を具備することを特徴とする紙幣集積装置。
【請求項２】
前記紙幣の投入時には、前記支持部材を上側方向に付勢し、前記保持された紙幣の重量に応じて前記支持部材を下側方向に移動させる付勢部をさらに具備する、
ことを特徴とする請求項１に記載の紙幣集積装置。
【請求項３】
前記紙幣の投入時には、前記保持部の下側の第１の位置に位置し、紙幣の出力時には、前記第１の位置から第２の位置へ上昇することで前記保持部に保持された紙幣を持ち上げるステージと、
前記ステージに設けられた第１の搬送部と、前記ステージが前記第２の位置に上昇した時に前記第１の搬送部との間に前記持ち上げられた紙幣を挟んだ状態で出力口へ移動させる第２の搬送部とを有する出力搬送部と、
をさらに具備し、
前記ステージは、前記ステージの上昇時に前記支持部材がすり抜ける切り欠き部を有する、
ことを特徴とする請求項１又は２に記載の紙幣集積装置。
【請求項４】
前記保持部は、前記投入部側の前記支持部材の一端部が前記ステージに軸で固定され、前記ステージの上昇時には、前記軸を中心に回転して前記切り欠き部をすり抜ける、
ことを特徴とする請求項３に記載の紙幣集積装置。
【発明の詳細な説明】
【技術分野】
【０００１】
本発明は、紙幣集積装置に関する。
【背景技術】
【０００２】
従来、紙幣取扱い装置には、現金自動預払機（ＡＴＭ：Automated  Teller  Machine）、銀行窓口に設置される紙幣入出金装置、及び、スーパーマーケットに設置され顧客自身で精算を行うためのセルフチェックアウトレジスタ等がある。
【０００３】
紙幣取扱い装置は、紙幣を一時保持する「一時保持部（保持装置）」を有することがある。一時保持部としては、例えば、紙幣を一対のフィルムの間に挟み込み、紙幣を間に挟み込んだ一対のフィルムを巻取りローラで巻き取ることにより、紙幣を収納するものがある。このような一時保持部は、紙幣の放出時には、巻取りローラを収納時と逆方向に回転させることにより、収納していた紙幣を放出することができる。
【０００４】
また、紙幣取扱い装置には、返却する複数枚の紙幣を、紙幣を集積するための空間（以下では、「紙幣集積空間」と呼ぶことがある）に集積し、集積した複数枚の紙幣を纏めて出力口から排出する、「出金用紙幣集積部（紙幣集積装置）」が備えられているものがある。出金用紙幣集積部には、例えば、紙幣の払い出し時、及び、お釣りや取引中止のために顧客に対して紙幣を返却する際に、出力対象の紙幣が集積される。例えば、出金用紙幣集積部としては、紙幣の投入時には、紙幣集積空間の下側の第１の位置に位置し、紙幣の出力時には、第１の位置から第２の位置に上昇して、集積された紙幣を持ち上げるステージを有するものがある。そして、その様な出金用紙幣集積部は、ステージに設けられた第１の搬送部と、ステージが第２の位置に上昇した時に第１の搬送部との間に持ち上げた紙幣を挟んだ状態で出力口へ移動させる第２の搬送部とを有する出力搬送部を備えている。
【先行技術文献】
【特許文献】
【０００５】
【特許文献１】特開２００１−１４３１２８号公報
【発明の概要】
【発明が解決しようとする課題】
【０００６】
しかしながら、丸まる癖のついた第１の紙幣が出金用紙幣集積部に投入されると、第１の紙幣の後に投入された他の紙幣の重さで潰されて折り曲がってしまう可能性がある。特に、上記の様な一対のフィルムの間に紙幣を挟んで収納する一時保持部を有する紙幣取扱い装置では、紙幣に丸まり癖がつく可能性が高くなる。また、上記の様に第１の搬送部と第２の搬送部との間に紙幣を挟んだ状態で出力口から出力する出金用紙幣集積部では、紙幣の重さだけでなく、挟んだ時の押圧力によって、丸まる癖のついた紙幣が折り曲がってしまう可能性が高くなる。なお、この問題は、出金用に限らず、他の用途に用いられる紙幣集積部にも共通する。
【０００７】
このように紙幣取扱い装置で紙幣が折り曲がるとジャム等を引き起こして、紙幣取扱い装置が利用不能状態となる原因となり、結果として、ユーザの利便性が低下してしまう可能性がある。
【０００８】
開示の技術は、上記に鑑みてなされたものであって、ユーザの利便性を向上させることができる、紙幣集積装置を提供することを目的とする。
【課題を解決するための手段】
【０００９】
開示の態様では、紙幣集積装置は、投入部と、保持部とを有する。前記投入部は、紙幣を集積するための空間内へ紙幣を順次投入する。前記保持部は、紙幣の投入時には、前記投入部から前記紙幣の投入方向へ遠ざかるに従って前記投入方向の延長線に対する高さが高くなる状態で配設される支持部材を有し、且つ、前記空間の下側に位置して前記投入された紙幣を前記支持部材で支えて保持する。
【発明の効果】
【００１０】
開示の態様によれば、ユーザの利便性を向上させることができる。
【図面の簡単な説明】
【００１１】
【図１】図１は、実施例１の紙幣集積装置を有する紙幣取扱い装置の外観例を示す図である。
【図２】図２は、実施例１の紙幣取扱い装置の一例を示す概略図である。
【図３】図３は、実施例１の一時保留部の一例を示す概略図である。
【図４】図４は、実施例１の一時保留部の一例を示す概略図である。
【図５】図５は、実施例１の紙幣集積部の一例を示す図である。
【図６】図６は、実施例１の紙幣集積部の一例を示す図である。
【図７】図７は、紙幣集積部の動作の説明図である。
【図８】図８は、紙幣集積部の動作の説明図である。
【図９】図９は、紙幣集積部の動作の説明図である。
【図１０】図１０は、紙幣集積部の動作の説明図である。
【図１１】図１１は、紙幣集積部の動作の説明図である。
【図１２】図１２は、紙幣集積部の動作の説明図である。
【発明を実施するための形態】
【００１２】
以下に、本願の開示する紙幣集積装置の実施形態を図面に基づいて詳細に説明する。なお、この実施形態により本願の開示する紙幣集積装置が限定されるものではない。また、以下では、一例として紙幣集積装置を有する紙幣取扱い装置がセルフチェックアウトレジスタであることを前提に説明を行うが、これに限定されるものではない。また、以下では、紙幣集積装置が紙幣取扱い装置に設けられた出金用の紙幣集積部であることを前提に説明を行うが、これに限定されるものではない。また、実施形態において同一の機能を有する構成には同一の符号を付し、重複する説明は省略される。
【００１３】
［実施例１］
［紙幣集積装置の構成例］
図１は、実施例１の紙幣集積装置を有する紙幣取扱い装置の外観例を示す図である。図１において、紙幣取扱い装置１０は、装置筐体１２を有している。図１は、紙幣取扱い装置１０を右斜め上から見た斜視図である。すなわち、図１においてタッチパネル１４が取り付けられている側が、紙幣取扱い装置１０の「前」である。
【００１４】
装置筐体１２の前面の左側上方位置には、タッチパネル１４が配設されている。タッチパネル１４は、ユーザに対して提示する各種情報を表示すると共に、ユーザによる操作を受け付ける。
【００１５】
装置筐体１２の前面においてタッチパネル１４の下側には、スキャナ１６が配設されている。スキャナ１６は、顧客が購入を希望する商品（つまり、購入希望商品）に付されたコードシンボルがかざされると、そのコードシンボルの情報を読み取って、読み取った情報を制御部（図示せず）へ出力する。尚、コードシンボルとは、例えば、１次元バーコードコードや２次元バーコード等である。
【００１６】
スキャナ１６の下側の位置には、装置筐体１２の前面から立ち上がる秤部１８が設けられている。秤部１８は、ユーザによって載置された購入希望商品の重量を計測し、計測した重量に関する情報を制御部（図示せず）へ出力する。これにより、制御部（図示せず）は、スキャナ１６によって情報が読み取られた商品と、重量が計測された商品とが一致するか否かを判定する「チェック処理」を行うことができる。
【００１７】
また、装置筐体１２の前面の右側上方位置には、紙幣投入口２０及び硬貨投入口２２が左右に並んで設けられている。紙幣投入口２０及び硬貨投入口２２は、顧客が支払い代金を払う際に、用いられる。紙幣投入口２０には、支払い代金のうちの紙幣が投入される。また、硬貨投入口２２には、支払い代金のうちの硬貨が投入される。
【００１８】
装置筐体１２の前面において紙幣投入口２０及び硬貨投入口２２の下側の位置には、カードリーダ２４が配設されている。
【００１９】
装置筐体１２の前面においてカードリーダ２４の下側の位置には、レシート発行口２６及び硬貨排出口２８が設けられている。決済終了時には、レシート発行口２６からレシートが排出される。また、決済終了時及び取引中止時等には、硬貨排出口２８から、お釣り及び返却等の対象である硬貨が排出される。
【００２０】
装置筐体１２の前面においてレシート発行口２６及び硬貨排出口２８の下側の位置には、紙幣排出口３０が設けられている。決済終了時及び取引中止時等には、紙幣排出口３０から、お釣り及び返却等の対象である紙幣が排出される。
【００２１】
装置筐体１２の前面において紙幣排出口３０の下側の位置には、クーポン投入口３２が設けられている。クーポン投入口３２の下側には、扉３４が設けられている。管理者は、この扉３４を開けて、例えば、後述する回収部５２に回収された紙幣を取り出す。
【００２２】
図２は、実施例１の紙幣取扱い装置の一例を示す概略図である。図２には、紙幣取扱い装置１０の主要構成が示され、特に、紙幣の受入及び排出に関わる構成が示されている。図２において、紙幣取扱い装置１０は、紙幣受入部４２と、搬送部４４と、鑑別部４６と、一時保留部４８と、還流部５０と、回収部５２と、紙幣集積部（紙幣集積装置）５４とを有する。
【００２３】
紙幣受入部４２は、上記の紙幣投入口２０から投入された紙幣を受け入れ、受け入れた紙幣を搬送部４４へ送出する。
【００２４】
搬送部４４は、紙幣受入部４２と、鑑別部４６と、一時保留部４８と、還流部５０と、回収部５２とに接続されている。また、搬送部４４は、搬送ガイド、ローラ、駆動モータ、及びルート切り替えゲートを含む複数種類の搬送路形成部品を有し、当該複数種類の搬送路形成部品によって搬送路が形成されている。そして、搬送部４４は、例えば、紙幣投入口２０に投入された紙幣を一枚ずつ、鑑別部４６を経由して一時保留部４８へ搬送する。そして、顧客によって取引の中止等が為されなければ、搬送部４４は、一時保留部４８に保留された紙幣を一枚ずつ、還流部５０へ搬送する。
【００２５】
鑑別部４６は、搬送される紙幣が正常紙幣であるか「リジェクト紙幣」であるかを鑑別する。そして、例えば、正常紙幣は、搬送部４４を介して、一時保留部４８に一時保留される一方、「リジェクト紙幣」は、紙幣集積部５４を介して、紙幣排出口３０から排出される。「リジェクト紙幣」とは、例えば、汚れた紙幣や破損している紙幣や折れ曲がっている紙幣等で、正常な紙幣であるが、正常な紙幣と認識できなかった場合の紙幣が異常な紙幣である。
【００２６】
一時保留部４８は、搬送部４４によって搬送されてきた紙幣を一時保留（収納）し、一時保留した紙幣を搬送部４４へ放出する。
【００２７】
図３及び図４は、実施例１の一時保留部の一例を示す概略図である。図３は、一時保留部の断面図であり、図４は、一時保留部を上から見た図である。なお、図３及び図４には、便宜上、搬送部４４の一部の構成も示されている。
【００２８】
一時保留部４８は、紙幣巻取りローラ６２と、巻取りフィルムローラ６４Ａ，６４Ｂとを有する。一時保留部４８による紙幣の収納時には、紙幣巻取りローラ６２は、一対のフィルム６６Ａ，６６Ｂが重なったフィルム６６を巻き取る方向に回転し、これに連れて、巻取りフィルムローラ６４Ａ，６４Ｂは、フィルム６６Ａ，６６Ｂをそれぞれ送り出す方向に回転する。一時保留部４８では、収納対象の紙幣が巻取りフィルムローラ６４Ａ，６４Ｂから送り出されたフィルム６６Ａとフィルム６６Ｂとの間に挟み込まれる。そして、一対のフィルム６６Ａ，６６Ｂは、紙幣を挟み込んだ状態を維持したまま、紙幣巻取りローラ６２によって巻き取られる。このようにして、一時保留部４８は搬送部４４によって搬送された紙幣を収納する。
【００２９】
一方、一時保留部４８による紙幣の放出時には、紙幣巻取りローラ６２及び巻取りフィルムローラ６４Ａ，６４Ｂは、収納時とは逆に回転する。すなわち、巻取りフィルムローラ６４Ａ，６４Ｂは、フィルム６６Ａ，６６Ｂをそれぞれ巻き取る方向に回転し、これに連れて、紙幣巻取りローラ６２は、フィルム６６を送り出す方向に回転する。これにより、フィルム６６Ａとフィルム６６Ｂとの間に挟み込まれた紙幣は搬送部４４に向かって移動する。そして、フィルム６６Ａとフィルム６６Ｂとが分かれることにより、紙幣は、それの先端側からフィルム６６Ａとフィルム６６Ｂとの挟み込み状態から解放されて、搬送部４４に放出される。
【００３０】
また、一時保留部４８は、出入口センサ６８を有する。出入口センサ６８は、搬送部４４によって搬送されてきた紙幣を検出し、制御部（図示せず）に通知する。そして、制御部（図示せず）の制御によって、紙幣巻取りローラ６２と巻取りフィルムローラ６４Ａ，６４Ｂが上記収納時の回転動作を行うことにより、搬送部４４によって搬送されてきた紙幣が収納される。なお、上記放出時には、制御部（図示せず）の制御によって、紙幣巻取りローラ６２と巻取りフィルムローラ６４Ａ，６４Ｂが上記放出時の回転動作を行うことにより、収納されていた紙幣が搬送部４４に放出される。
【００３１】
図２の説明に戻り、還流部５０は、紙幣投入口２０から投入され、紙幣受入部４２、鑑別部４６、一時保留部４８、及び搬送部４４を介して受け取った紙幣を収納する。また、還流部５０は、例えば制御部（図示せず）から出金命令を受け取ると、出金命令の示す金種及び枚数に対応する紙幣を搬送部４４に繰り出す。繰り出された紙幣は、搬送部４４、鑑別部４６、一時保留部４８、及び紙幣集積部５４を介して、紙幣排出口３０から排出される。このように、還流部５０によって入金紙幣を出金紙幣として用いることができる。すなわち、還流部５０によって紙幣の還流が可能となっている。
【００３２】
回収部５２は、紙幣の回収処理時に、還流部５０から繰り出された紙幣を、搬送部４４を介して受け取って収納する。この回収部５２に収納された紙幣を管理者が回収することにより、管理者は容易に紙幣を回収することができる。
【００３３】
紙幣集積部（紙幣集積装置）５４は、例えば、出金用の紙幣を「紙幣集積空間」に集積し、集積した紙幣を紙幣排出口３０から排出（出力）する。
【００３４】
図５及び図６は、実施例１の紙幣集積部の一例を示す図である。図５には、紙幣集積部を紙幣取扱い装置１０の右側から透かして見た模式図である。すなわち、図５及び図６の左を、紙幣集積部の「前」とし、図５及び図６の右を、紙幣集積部の「後」とし、図６の上を、紙幣集積部の「左」とし、図６の下を、紙幣集積部の「右」とする。また、図５の上を、紙幣集積部の「上」とし、図５の下を、紙幣集積部の「下」とする。また、図６は、紙幣集積部のＩ−Ｉ矢視断面図である。
【００３５】
紙幣集積部５４の後端部上方には、ローラ７２が設けられている。ローラ７２は、軸７６に取り付けられ、紙幣集積部５４の左右方向（つまり、幅方向）の略中央に配設されている。ローラ７２の上方には、ローラ７４が配設されている。ローラ７２及びローラ７４は、搬送部４４によって搬送されてきた紙幣を紙幣集積空間へ順次投入する。すなわち、ローラ７２及びローラ７４は、紙幣集積空間へ紙幣を投入する「投入部（投入口）」として機能する。
【００３６】
軸７６には、ローラ７２の両側にローラ７２を略中央に挟んで、一対の羽根車７８が配設されている。すなわち、羽根車７８は、ローラ７４と立体的に干渉しない位置に配設されている。また、羽根車７８は、複数の羽根７９を有している。この羽根７９は、軸７６の回転に連れて羽根車７８が回転することで、上記の投入部によって紙幣集積空間へ投入された紙幣の後端部を下方向に叩く。
【００３７】
ローラ７２と羽根車７８との間の空間には、バー８０が、投入口から紙幣集積空間の前後方向の中央に向けて伸びるように、配設されている。このバー８０は、上記の投入部から投入された紙幣Ｂ１を上から抑え込むことによって、紙幣の投入方向を安定化させている。すなわち、バー８０は、紙幣投入ガイドとして機能している。また、バー８０は、後述するステージ９２が上昇するときに、ステージ９２が持ち上げる紙幣の束を上から押さえる機能を有している。
【００３８】
また、紙幣集積部５４の下端部には、底板８２が配設されている。底板８２には、略Ｌ字形状であり、且つ、軸８４で軸支された付勢バー８６が配設されていている。付勢バー８６の一端部は、一端を固定部８８に引っ掛けられて固定されたバネ９０の他端と連結されている。付勢バー８６及びバネ９０は、「付勢部」として機能する。
【００３９】
底板８２の上方には、ステージ９２が配設されている。ステージ９２は、上下方向に移動可能に構成されており、図５にはステージ９２が最下点まで降下した状態（以下では、「降下状態」と呼ぶことがある）が示されている。ステージ９２には、軸８４の上方に位置する軸９４で軸支された支持部材９６が配設されている。支持部材９６は、略直角三角形の形状を有しており、１つの頂点付近に軸９４が配設されている。支持部材９６及び軸９４は、紙幣の「保持部」として機能する。そして、支持部材９６は、それの傾斜部分（つまり、斜面部９６−１）が、降下状態では上記の投入部から紙幣の投入方向へ遠ざかるに従って投入方向の延長線に対する高さが高くなる状態で配設される。すなわち、支持部材９６は、下降状態では、紙幣の投入方向において上りスロープとなるように、配設されている。これにより、丸まり癖のついている紙幣が投入された場合でも、紙幣が丸まることを防止することができる。また、支持部材９６の底辺部分（つまり、底面部９６−２）は、下降状態では、付勢バー８６と接している。すなわち、支持部材９６は、下降状態では、上記の付勢部によって上方向に付勢されている。
【００４０】
また、ステージ９２の後端部には、ローラ１００が設けられている。ローラ１００は、ステージ９２の左右方向（つまり、幅方向）に伸びる軸９８に取り付けられ、ステージ９２の左右方向の略中央に配設されている。また、ローラ１００は、ステージ９２に設けられた切り欠きに配設されている。これにより、ローラ１００のローラ面は、露出している。
【００４１】
また、ステージ９２の前端部には、ローラ１０４が設けられている。ローラ１０４は、ステージ９２の左右方向（つまり、幅方向）に伸びる軸１０２に取り付けられ、ステージ９２の左右方向の略中央に配設されている。また、ローラ１０４は、ステージ９２に設けられた切り欠きに配設されている。これにより、ローラ１０４のローラ面は、露出している。
【００４２】
ローラ１００及びローラ１０４は、環状の搬送ベルト１０６の輪の部分に通されている。すなわち、搬送ベルト１０６は、ローラ１００及びローラ１０４の両方に巻き付けられ、ステージ９２の前後方向に伸びている。従って、軸９８及び軸１０２の回転に連れてローラ１００及びローラ１０４が回転することにより、搬送ベルト１０６は、ローラ１００及びローラ１０４の外側を周回する。これにより、搬送ベルト１０６に接する搬送対象物（紙幣）をステージ９２の前後方向に搬送することができる。すなわち、ローラ１００、ローラ１０４、及び搬送ベルト１０６は、「下側搬送部」を形成している。
【００４３】
また、ステージ９２には、搬送ベルト１０６の両側に搬送ベルト１０６を略中央に挟んで、切り欠き部１０８が設けられている。切り欠き部１０８は、ステージ９２において支持部材９６の下に位置する部分に設けられている。この切り欠き部１０８は、ステージ９２の上昇に連れて支持部材９６が軸９４を回転軸として回転したときに、支持部材９６がステージ９２をすり抜けられるように、設けられている。
【００４４】
また、紙幣集積部５４の上端部には、天井板１１０が配設されている。天井板１１０の前端部、つまり、紙幣集積部５４の前端部上方には、ローラ１１２が設けられている。一方、天井板１１０の後端部には、ローラ１１４が設けられている。そして、ローラ１１２及びローラ１１４には、搬送ベルト１１６が巻き付けられている。搬送ベルト１１６は、天井板１１０の前後方向に伸びている。従って、ローラ１１２及びローラ１１４が回転することにより、搬送ベルト１１６は、ローラ１１２及びローラ１１４の外側を周回する。これにより、搬送ベルト１１６に接する搬送対象物（紙幣）を天井板１１０の前後方向に搬送することができる。すなわち、ローラ１１２、ローラ１１４、及び搬送ベルト１１６は、「上側搬送部」を形成している。
【００４５】
ここで、紙幣集積空間に積層予定枚数の紙幣が積層されると、制御部（図示せず）の制御によって、ステージ９２が上昇し、積層された紙幣を持ち上げる。そして、ステージ９２がさらに上昇すると、持ち上げられた紙幣が「上側搬送部」と「下側搬送部」との間に挟み込まれる。「上側搬送部」と「下側搬送部」との間に挟み込まれた紙幣は、搬送ベルト１０６及び搬送ベルト１１６を周回させることにより、紙幣排出口３０に向けて移動される。すなわち、「上側搬送部」と「下側搬送部」とは、「出力搬送部」を形成する。なお、ステージ９２が上昇した状態を、以下では、「上昇状態」と呼ぶことがある。
【００４６】
また、ローラ１１２の下側には、ローラ１１８が設けられている。ローラ１１８及びローラ１１２は、「上側搬送部」及び「下側搬送部」によって搬送されてきた紙幣を、紙幣排出口３０へ繰り出す。すなわち、ローラ１１８及びローラ１１２は、「出力部（出力口）」として機能する。
【００４７】
［紙幣集積装置の動作例］
以上の構成を有する紙幣集積装置の動作例について説明する。ここでは、特に、紙幣集積部５４の動作例について説明する。図７〜図１２は、紙幣集積部の動作の説明図である。
【００４８】
まず、紙幣集積部５４に対する紙幣の集積処理が開始されると、図７に示すように、ローラ７２及びローラ７４を含む上記の投入部から、１枚目の紙幣Ｂ１が紙幣集積空間へ投入される。図７に示すように、紙幣の集積処理の間は、ステージ９２は、「降下状態」にある。
【００４９】
そして、紙幣の集積処理は、集積予定枚数Ｎの紙幣が集積されるまで続けられる。図８には、１枚目の紙幣Ｂ１が支持部材９６の斜面部９６−１及び「下側搬送部」の後端部に支持され、２枚目の紙幣Ｂ２が投入されている状態が示されている。すなわち、紙幣Ｂ１において投入部から先に投入された先頭部は支持部材９６の斜面部９６−１によって支持され、紙幣Ｂ１の後部は「下側搬送部」の後端部によって支持されている。つまり、ここでは、上記の「保持部」は、「下側搬送部」の後端部を含んでいる。また、図９には、１枚目の紙幣Ｂ１及び２枚目の紙幣Ｂ２が支持部材９６の斜面部９６−１に支持されている状態が示されている。
【００５０】
集積された紙幣の枚数が増えてくると、集積された紙幣の重みに応じて、その重みと上記の付勢部の弾性力とが釣り合うまで、付勢バー８６の先端部が支持部材９６によって押し下げられる。すなわち、上記の付勢部は、支持部材９６に支えられた状態で紙幣集積部５４によって保持されている紙幣の重量に応じて、支持部材９６を軸９４を中心に回転させて、支持部材９６の斜面部９６−１を下側方向に移動させている。このとき、支持部材９６の底面部９６−２は、ステージ９２に設けられた切り欠き部１０８をすり抜ける。図１０には、集積予定枚数Ｎが集積された状態が示されている。
【００５１】
紙幣の集積処理が終了すると、紙幣の放出（出力）処理が開始する。紙幣の放出処理が開始すると、ステージ９２の上昇が開始する。ステージ９２の上昇に従って、支持部材９６は、上記の付勢部の付勢を逃れて軸９４を中心に回転して、徐々に切り欠き部１０８をすり抜ける。これにより、ステージ９２の上面と支持部材９６の斜面部９６−１との為す角度は徐々に小さくなっていき、最後には、ステージ９２の上面と支持部材９６の斜面部９６−１とは、略同一面上に位置するようになる。また、ステージ９２が上昇する過程で、支持部材９６に積層された紙幣は、バー８０によって押さえつけられる。これにより、支持部材９６の傾斜が緩やかになって紙幣が丸まり易くなっても、紙幣の丸まりを防止することができる。
【００５２】
そして、ステージ９２がさらに上昇して図１１のように上昇状態になると、ステージ９２の上に積層されている紙幣は、上記の「上側搬送部」と「下側搬送部」とによって挟まれる。これにより、略平行に配設された、上側搬送部と下側搬送部は、積層された紙幣を安定的に挟むことができる。
【００５３】
そして、「上側搬送部」及び「下側搬送部」は、図１２に示すように、積層された紙幣を挟んだ状態でローラ１１８及びローラ１１２を含む出力口へ移動させる。
【００５４】
以上のように本実施例によれば、紙幣集積部（紙幣集積装置）５４において、ローラ７２及びローラ７４を含む投入部は、紙幣集積空間内へ側方上側から紙幣を順次投入する。そして、支持部材９６は、ローラ７２及びローラ７４から紙幣の投入方向へ遠ざかるに従って、その投入方向の延長線に対する高さが高くなる状態で配設される。
【００５５】
この紙幣集積部（紙幣集積装置）５４の構成により、丸まり癖のついている紙幣が投入された場合でも、紙幣が丸まることを防止することができる。これにより、丸まった紙幣が後に投入された紙幣の重さで潰されて折り曲がってしまうことを防止することができる。この結果、ジャムが起こる可能性を低減できるので、ユーザの利便性を向上させることができる。
【００５６】
また、紙幣集積部（紙幣集積装置）５４において、付勢バー８６及びバネ９０を含む付勢部は、紙幣の投入時には、支持部材９６を上側方向に付勢し、支持部材９６で保持（積層）された紙幣の重量に応じて、支持部材９６を下方向に移動させる。
【００５７】
この紙幣集積部（紙幣集積装置）５４の構成により、紙幣の積層枚数に応じて紙幣積層空間を大きくすることができる。
【００５８】
また、紙幣集積部（紙幣集積装置）５４において、ステージ９２は、ステージ９２の上昇時に支持部材９６がすり抜ける切り欠き部１０８が形成されている。
【００５９】
この紙幣集積部（紙幣集積装置）５４の構成により、略平行に配設された、上側搬送部と下側搬送部は、ステージ９２の上昇状態で、積層された紙幣を安定的に挟むことができる。
【００６０】
また、紙幣集積部（紙幣集積装置）５４において、バー８０は、ステージ９２の上昇時に、ステージ９２によって持ち上げられた紙幣をステージ９２に向けて押さえつける。
【００６１】
この紙幣集積部（紙幣集積装置）５４の構成により、支持部材９６の傾斜が緩やかになって紙幣が丸まり易くなっても、紙幣の丸まりを防止することができる。
【００６２】
［他の実施例］
実施例１では、紙幣集積部（紙幣集積装置）５４が出金用の紙幣集積部であることを前提に説明を行ったが、これに限定されるものではなく、他の用途の紙幣集積部にも適用可能である。
【符号の説明】
【００６３】
１０  紙幣取扱い装置
１２  装置筐体
１４  タッチパネル
１６  スキャナ
１８  秤部
２０  紙幣投入口
２２  硬貨投入口
２４  カードリーダ
２６  レシート発行口
２８  硬貨排出口
３０  紙幣排出口
３２  クーポン投入口
３４  扉
４２  紙幣受入部
４４  搬送部
４６  鑑別部
４８  一時保留部
５０  還流部
５２  回収部
５４  紙幣集積部
６２  紙幣巻取りローラ
６４Ａ，６４Ｂ  巻取りフィルムローラ
６６  フィルム
６８  出入口センサ
７２，７４，１００，１０４，１１２，１１４，１１８  ローラ
７６，８４，９４，９８，１０２  軸
７８  羽根車
７９  羽根
８０  バー
８２  底板
８６  付勢バー
８８  固定部
９０  バネ
９２  ステージ
９６  支持部材
１０６，１１６  搬送ベルト
１０８  切り欠き部
１１０  天井板
【図１】
2015184926.tif 000003
【図２】
2015184926.tif 000004
【図３】
2015184926.tif 000005
【図４】
2015184926.tif 000006
【図５】
2015184926.tif 000007
【図６】
2015184926.tif 000008
【図７】
2015184926.tif 000009
【図８】
2015184926.tif 000010
【図９】
2015184926.tif 000011
【図１０】
2015184926.tif 000012
【図１１】
2015184926.tif 000013
【図１２】
2015184926.tif 000014